(57)【特許請求の範囲】
【請求項１】
ヘッド、シャフト及びグリップを備えており、
クラブ長さが４３インチ以上４８インチ以下であり、
ヘッド重量Ｗｈとクラブ重量Ｗｃとの比（Ｗｈ／Ｗｃ）が０．７０以上であり、
スイング軸回りの慣性モーメントＩｘが、６．９０×１０３（ｋｇ・ｃｍ２）以上７．５０×１０３（ｋｇ・ｃｍ２）以下であり、
クラブの静的モーメントＭｔ（ｋｇ・ｃｍ）が１６．３（ｋｇ・ｃｍ）以上であり、
クラブ振動数が、２４０（ｃｐｍ）以上２８０（ｃｐｍ）以下であるゴルフクラブ。
ただし、クラブ重量がＷｃ（ｋｇ）とされ、グリップエンドからクラブ重心までの軸方向距離がＬｃ（ｃｍ）とされ、クラブ重心回りのクラブ慣性モーメントがＩｃ（ｋｇ・ｃｍ２）とされるとき、上記慣性モーメントＩｘ（ｋｇ・ｃｍ２）は下記の式（１）により算出され、上記静的モーメントＭｔ（ｋｇ・ｃｍ）は下記の式（２）により算出される。
Ｉｘ＝Ｗｃ×（Ｌｃ＋６０）２＋Ｉｃ  ・・・（１）    
Ｍｔ＝Ｗｃ×（Ｌｃ−３５．６）     ・・・（２）
【請求項２】
上記シャフトの先端からシャフト重心までの軸方向距離がＬｇとされ、シャフト長さがＬｓとされるとき、
比（Ｌｇ／Ｌｓ）が０．５５以上０．６７以下である請求項１に記載のゴルフクラブ。
【請求項３】
上記ヘッド重量Ｗｈが０．１９０ｋｇ以上である請求項１又は２に記載のゴルフクラブ。
【請求項４】
上記グリップの重量が４０ｇ以下である請求項１から３のいずれかに記載のゴルフクラブ。
【発明の詳細な説明】
【技術分野】
【０００１】
本発明は、ゴルフクラブに関する。
【背景技術】
【０００２】
ゴルフクラブの重要な評価項目として、飛距離が挙げられる。
【０００３】
飛距離の増大を意図したゴルフクラブが提案されている。特開２００４−２０１９１１号公報は、ゴルフクラブの総質量に占めるヘッドの質量割合が７３％以上８１％以下であるウッドクラブを開示する。また、スイングの安定を考慮したゴルフクラブが提案されている。特許第３７３５２０８号公報は、グリップエンドまわりの慣性モーメント（ｇ・ｍ２）が２００以上３００以下であり、曲げ振動の周期（ｓｅｃ）が０．２６５０以上０．３４０以下であるゴルフクラブを開示する。
【先行技術文献】
【特許文献】
【０００４】
【特許文献１】特開２００４−２０１９１１号公報
【特許文献２】特許第３７３５２０８号公報
【発明の概要】
【発明が解決しようとする課題】
【０００５】
飛距離性能に対する要求は、益々エスカレートしている。振りやすく、飛距離性能に優れたゴルフクラブが求められている。新たな指標により、振りやすさが適切に評価され、飛距離性能が向上しうることが判明した。
【０００６】
本発明の目的は、飛距離性能に優れたゴルフクラブの提供にある。
【課題を解決するための手段】
【０００７】
本発明に係る好ましいゴルフクラブは、ヘッド、シャフト及びグリップを備えている。クラブ長さは、４３インチ以上４８インチ以下である。ヘッド重量Ｗｈとクラブ重量Ｗｃとの比（Ｗｈ／Ｗｃ）は、０．７０以上である。スイング軸回りの慣性モーメントＩｘは、６．９０×１０３（ｋｇ・ｃｍ２）以上７．５０×１０３（ｋｇ・ｃｍ２）以下である。クラブの静的モーメントＭｔ（ｋｇ・ｃｍ）は、１６．３（ｋｇ・ｃｍ）以上である。クラブ振動数は、２４０（ｃｐｍ）以上２８０（ｃｐｍ）以下である。ただし、クラブ重量がＷｃ（ｋｇ）とされ、グリップエンドからクラブ重心までの軸方向距離がＬｃ（ｃｍ）とされ、クラブ重心回りのクラブ慣性モーメントがＩｃ（ｋｇ・ｃｍ２）とされるとき、上記慣性モーメントＩｘ（ｋｇ・ｃｍ２）は下記の式（１）により算出され、上記静的モーメントＭｔ（ｋｇ・ｃｍ）は下記の式（２）により算出される。
Ｉｘ＝Ｗｃ×（Ｌｃ＋６０）２＋Ｉｃ  ・・・（１）    
Ｍｔ＝Ｗｃ×（Ｌｃ−３５．６）     ・・・（２）
【０００８】
上記シャフトの先端からシャフト重心までの軸方向距離がＬｇとされ、シャフト長さがＬｓとされる。好ましくは、比（Ｌｇ／Ｌｓ）は、０．５５以上０．６７以下である。
【０００９】
好ましくは、上記ヘッド重量Ｗｈは、０．１９０ｋｇ以上である。
【００１０】
好ましくは、上記グリップの重量は、４０ｇ以下である。
【発明の効果】
【００１１】
飛距離性能に優れたゴルフクラブが得られうる。
【図面の簡単な説明】
【００１２】
【図１】図１は、本発明の一実施形態に係るゴルフクラブを示す。
【図２】図２は、図１のクラブに用いられているシャフトを構成するプリプレグシートの展開図である。
【図３】図３は、スイング軸回りの慣性モーメントの説明図である。
【図４】図４は、クラブ振動数の測定方法を示す図である。
【発明を実施するための形態】
【００１３】
以下、適宜図面が参照されつつ、好ましい実施形態に基づいて本発明が詳細に説明される。
【００１４】
なお、本願において、「軸方向」とは、シャフト軸方向を意味する。
【００１５】
図１は、本発明の一実施形態に係るゴルフクラブ２を示す。ゴルフクラブ２は、ヘッド４と、シャフト６と、グリップ８とを備えている。シャフト６の先端部に、ヘッド４が取り付けられている。シャフト６の後端部に、グリップ８が取り付けられている。ヘッド４は中空構造を有する。ヘッド４は、ウッド型である。ゴルフクラブ２は、ドライバー（１番ウッド）である。
【００１６】
ゴルフクラブ２は、飛距離性能に優れる。飛距離性能を考慮すると、クラブ長さは、４３インチ以上が好ましい。この観点から、好ましいヘッド４は、ウッド型ゴルフクラブヘッドである。
【００１７】
シャフト６は、繊維強化樹脂層の積層体からなる。シャフト６は、管状体である。シャフト６は中空構造を有する。図１が示すように、シャフト６は、先端（チップエンド）Ｔｐと後端（バットエンド）Ｂｔとを有する。先端Ｔｐは、ヘッド４の内部に位置している。後端Ｂｔは、グリップ８の内部に位置している。
【００１８】
図１において両矢印Ｌｓで示されているのは、シャフト長さである。シャフト長さＬｓは、先端Ｔｐと後端Ｂｔとの間の軸方向距離である。図１において両矢印Ｌｇで示されているのは、先端Ｔｐからシャフト重心Ｇまでの軸方向距離である。シャフト重心Ｇは、シャフト６単体の重心である。この重心Ｇは、シャフト軸線上に位置する。図１において両矢印Ｌ１で示されているのは、クラブ長さである。このクラブ長さＬ１の測定方法は、後述される。
【００１９】
シャフト６は、いわゆるカーボンシャフトである。好ましくは、シャフト６は、プリプレグシートを硬化させてなる。このプリプレグシートでは、繊維は実質的に一方向に配向している。このように繊維が実質的に一方向に配向したプリプレグは、ＵＤプリプレグとも称される。「ＵＤ」とは、ユニディレクションの略である。ＵＤプリプレグ以外のプリプレグが用いられても良い。例えば、プリプレグシートに含まれる繊維が編まれていてもよい。
【００２０】
プリプレグシートは、繊維と樹脂とを有している。この樹脂は、マトリクス樹脂とも称される。典型的には、この繊維は炭素繊維である。典型的には、このマトリクス樹脂は、熱硬化性樹脂である。
【００２１】
シャフト６は、いわゆるシートワインディング製法により製造されている。プリプレグにおいて、マトリクス樹脂は、半硬化状態にある。シャフト６は、プリプレグシートが巻回され且つ硬化されてなる。
【００２２】
プリプレグシートのマトリクス樹脂としては、エポキシ樹脂の他、エポキシ樹脂以外の熱硬化性樹脂や熱可塑性樹脂等も用いられ得る。シャフト強度の観点から、マトリクス樹脂は、エポキシ樹脂が好ましい。
【００２３】
シャフト６の製法は限定されない。軽量性及び設計自由度の観点から、シートワインディング製法により製造されたシャフトが好ましい。
【００２４】
図２は、シャフト６を構成するプリプレグシートの展開図（シート構成図）である。シャフト６は、複数のシートにより構成されている。シャフト６は、第１シートｓ１から第１１シートｓ１１までの、１１枚のシートにより構成されている。図２で示される展開図は、シャフトを構成するシートを、シャフトの半径方向内側から順に示している。展開図において上側に位置しているシートから順に巻回される。この図２において、図面の左右方向は、シャフト軸方向と一致する。図２において、図面の右側は、シャフトの先端Ｔｐ側である。図２において、図面の左側は、シャフトの後端Ｂｔ側である。
【００２５】
この展開図は、各シートの巻き付け順序のみならず、各シートのシャフト軸方向における配置をも示している。例えば図２において、シートｓ１、ｓ１０及びｓ１１の先端は、シャフト先端Ｔｐに位置している。例えば図２において、シートｓ４及びｓ５の後端は、シャフト後端Ｂｔに位置している。
【００２６】
本願では、「層」という文言と、「シート」という文言とが用いられる。「層」は、巻回された後における称呼であり、これに対して「シート」は、巻回される前における称呼である。「層」は、「シート」が巻回されることによって形成される。即ち、巻回された「シート」が、「層」を形成する。また、本願では、層とシートとで同じ符号が用いられる。例えば、シートｓ１によって形成された層は、層ｓ１とされる
【００２７】
シャフト６は、ストレート層と、バイアス層と、フープ層とを有する。本願の展開図において、各シートには、繊維の配向角度Ａｆが記載されている。この配向角度Ａｆは、シャフト軸方向に対する角度である。
【００２８】
「０°」と記載されているシートが、ストレート層を構成している。ストレート層用のシートは、本願においてストレートシートとも称される。
【００２９】
ストレート層は、繊維の配向がシャフト軸方向に対して実質的に０°とされた層である。巻き付けの際の誤差等に起因して、繊維の配向はシャフト軸線方向に対して完全に０°とはならない場合がある。通常、ストレート層では、絶対角度θａが１０°以下である。
【００３０】
なお、 絶対角度θａとは、上記配向角度Ａｆの絶対値である。例えば、絶対角度θａが１０°以下とは、角度Ａｆが、−１０度以上＋１０度以下であることを意味する。
【００３１】
バイアス層は、シャフトの捻れ剛性及び捻れ強度との相関が高い。好ましくは、バイアスシートは、繊維の配向が互いに逆方向に傾斜した２枚のシートペアを含む。捻れ剛性の観点から、バイアス層の絶対角度θａは、好ましくは１５°以上であり、より好ましくは２５°以上であり、更に好ましくは４０°以上である。捻れ剛性及び曲げ剛性の観点から、バイアス層の絶対角度θａは、好ましくは６０°以下であり、より好ましくは５０°以下である。
【００３２】
シャフト６において、バイアス層を構成するシートは、第２シートｓ２及び第３シートｓ３である。上述のように、図２には、シート毎に、上記角度Ａｆが記載されている。角度Ａｆにおけるプラス（＋）及びマイナス（−）は、バイアスシートの繊維が互いに逆方向に傾斜していることを示している。本願において、バイアス層用のシートは、単にバイアスシートとも称される。シートｓ２及びシートｓ３により、上記シートペアが構成されている。
【００３３】
図２では、シートｓ３の繊維の傾斜方向が、シートｓ２の繊維の傾斜方向に等しい。しかし、後述の通り、シートｓ３は、裏返されて、シートｓ２に貼り付けられる。この結果、シートｓ２の上記傾斜方向（角度Ａｆ）とシートｓ３の上記傾斜方向（角度Ａｆ）とは、互いに逆方向となる。
【００３４】
なお、図２の実施形態では、シートｓ２が−４５度であり且つシートｓ３が＋４５度であるが、逆にシートｓ２が＋４５度であり且つシートｓ３が−４５度であってもよいことは当然である。
【００３５】
シャフト６において、フープ層を構成するシートは、第８シートｓ８である。好ましくは、フープ層における上記絶対角度θａは、シャフト軸線に対して実質的に９０°とされる。ただし、巻き付けの際の誤差等に起因して、繊維の配向はシャフト軸線方向に対して完全に９０°とはならない場合がある。通常、フープ層では、上記絶対角度θａが８０°以上９０°以下である。本願において、フープ層用のプリプレグシートは、フープシートとも称される。
【００３６】
１枚のシートから形成される層の数は限定されない。１枚のシートのプライ数は、１であってもよいし、２であってもよい。このプライ数は非整数であってもよい。周方向における均等性の観点から、ストレートシートのプライ数は自然数であるのが好ましい。  
【００３７】
図示しないが、使用される前のプリプレグシートは、カバーシートにより挟まれている。通常、カバーシートは、離型紙及び樹脂フィルムである。即ち、使用される前のプリプレグシートは、離型紙と樹脂フィルムとで挟まれている。プリプレグシートの一方の面には離型紙が貼られており、プリプレグシートの他方の面には樹脂フィルムが貼られている。以下において、離型紙が貼り付けられている面が「離型紙側の面」とも称され、樹脂フィルムが貼り付けられている面が「フィルム側の面」とも称される。
【００３８】
本願の展開図は、フィルム側の面が表側とされた図である。即ち、図２において、図面の表側がフィルム側の面であり、図面の裏側が離型紙側の面である。図２では、シートｓ２とシートｓ３とで、繊維方向を示す線が同方向であるが、後述される貼り合わせの際に、シートｓ３が裏返される。この結果、シートｓ２の繊維方向とシートｓ３の繊維方向とは互いに逆となる。従って、層ｓ２の繊維方向と層ｓ３の繊維方向とが互いに逆となる。この点を考慮して、図２では、シートｓ２の繊維方向が「−４５°」と表記され、シートｓ３の繊維方向が「＋４５°」と表記されている。
【００３９】
プリプレグシートを巻回するには、先ず、樹脂フィルムが剥がされる。樹脂フィルムが剥がされることにより、フィルム側の面が露出する。この露出面は、タック性（粘着性）を有する。このタック性は、マトリクス樹脂に起因する。即ち、このマトリクス樹脂が半硬化状態であるため、粘着性が発現する。この露出したフィルム側の面の縁部が、巻き始め縁部とも称される。次に、巻き始め縁部が、巻回対象物に貼り付けられる。マトリクス樹脂の粘着性により、この巻き始め縁部の貼り付けが円滑になされうる。巻回対象物とは、マンドレル、又はマンドレルに他のプリプレグシートが巻き付けられてなる巻回物である。次に、離型紙が剥がされる。次に、巻回対象物が回転されて、プリプレグシートが巻回対象物に巻き付けられる。このように、先に樹脂フィルムが剥がされ、次に巻き始め端部が巻回対象物に貼り付けられ、次に離型紙が剥がされる。即ち、先に樹脂フィルムが剥がされ、巻き始め縁部が巻回対象物に貼り付けられた後に、離型紙が剥がされる。この手順により、シートの皺や巻き付け不良が抑制される。なぜなら、離型紙が貼り付けられたシートは、離型紙に支持されているため、皺となりにくいからである。離型紙は、樹脂フィルムと比較して、曲げ剛性が高い。
【００４０】
図２の実施形態では、合体シートが形成される。合体シートは、２枚以上のシートが貼り合わされることによって形成される。
【００４１】
図２の実施形態では、２つの合体シートが形成される。第一の合体シートは、シートｓ２にシートｓ３を貼り合わせることによって形成される。第二の合体シートは、シートｓ９にシートｓ８を貼り合わせることによって形成される。フープシートｓ８は、合体シートとされた状態で巻回される。この巻回方法により、フープシートの巻き付け不良が抑制される。巻き付け不良とは、シートの裂け、角度Ａｆの誤差、皺等である。
【００４２】
上述の通り、本願では、繊維の配向角度によって、シート及び層が分類される。更に、本願では、シャフト軸方向の長さによって、シート及び層が分類される。
【００４３】
本願において、シャフト軸方向の全体に配置される層が、全長層と称される。本願において、シャフト軸方向の全体に配置されるシートが、全長シートと称される。巻回された全長シートが、全長層を形成する。
【００４４】
本願において、シャフト軸方向において部分的に配置される層が、部分層と称される。本願において、シャフト軸方向において部分的に配置されるシートが、部分シートと称される。巻回された部分シートが、部分層を形成する。本願では、ストレート層である全長層が、全長ストレート層と称される。巻回された全長ストレートシートが、全長ストレート層を形成する。図２の実施形態において、全長ストレートシートは、シートｓ６、シートｓ７及びシートｓ９である。
【００４５】
本願では、フープ層である全長層が、全長フープ層と称される。図２の実施形態において、全長フープ層は、層ｓ８である。全長フープシートは、シートｓ８である。
【００４６】
本願では、ストレート層である部分層が、部分ストレート層と称される。図２の実施形態において、部分ストレート層は、層ｓ１、層ｓ４、層ｓ５、層ｓ１０及び層ｓ１１である。部分ストレートシートは、シートｓ１、シートｓ４、シートｓ５、シートｓ１０及びシートｓ１１である。
【００４７】
本願では、バット部分層との文言が用いられる。このバット部分層として、バットストレート層及びバットフープ層が挙げられる。図２の実施形態において、バットストレート層は、層ｓ４及び層ｓ５である。バットストレートシートは、シートｓ４及びシートｓ５である。
【００４８】
本願では、チップ部分層との文言が用いられる。このチップ部分層として、チップストレート層が挙げられる。図２の実施形態において、チップストレート層は、層ｓ１、層ｓ１０及び層ｓ１１である。チップストレートシートは、シートｓ１、シートｓ１０及びシートｓ１１である。
【００４９】
シャフト６は、シートワインディング製法により作製される。
【００５０】
以下に、このシャフト６の製造工程の概略が説明される。
【００５１】
［シャフト製造工程の概略］
【００５２】
（１）裁断工程
裁断工程では、プリプレグシートが所望の形状に裁断される。この工程により、図２に示された各シートが切り出される。
【００５３】
なお、裁断は、裁断機によりなされてもよいし、手作業でなされてもよい。手作業の場合、例えば、カッターナイフが用いられる。
【００５４】
（２）貼り合わせ工程
貼り合わせ工程では、前述した２つの合体シートが作製される。
【００５５】
貼り合わせ工程では、加熱又はプレスが用いられてもよい。より好ましくは、加熱とプレスとが併用される。後述する巻回工程において、合体シートの巻き付け作業中に、シートのズレが生じうる。このズレは、巻き付け精度を低下させる。加熱及びプレスは、シート間の接着力を向上させる。加熱及びプレスは、巻回工程におけるシート間のズレを抑制する。
【００５６】
（３）巻回工程
巻回工程では、マンドレルが用意される。典型的なマンドレルは、金属製である。このマンドレルに、離型剤が塗布される。更に、このマンドレルに、粘着性を有する樹脂が塗布される。この樹脂は、タッキングレジンとも称される。このマンドレルに、裁断されたシートが巻回される。このタッキングレジンにより、シート端部をマンドレルに貼り付けることが容易とされている。
【００５７】
図２の展開図において上側に位置しているシートから順に巻回される。ただし、上記貼り合わせに係るシートは、合体シートの状態で、巻回される。
【００５８】
この巻回工程により、巻回体が得られる。この巻回体は、マンドレルの外側にプリプレグシートが巻き付けられてなる。巻回は、例えば、平面上で巻回対象物を転がすことにより、達成される。この巻回は、手作業によりなされてもよいし、機械によりなされてもよい。この機械は、ローリングマシンと称される。
【００５９】
（４）テープラッピング工程
テープラッピング工程では、上記巻回体の外周面にテープが巻き付けられる。このテープは、ラッピングテープとも称される。このテープは、張力を付与されつつ巻き付けられる。このテープにより、巻回体に圧力が加えられる。この圧力はボイドを低減させる。
【００６０】
（５）硬化工程
硬化工程では、テープラッピングがなされた後の巻回体が加熱される。この加熱により、マトリクス樹脂が硬化する。この硬化の課程で、マトリクス樹脂が一時的に流動化する。このマトリクス樹脂の流動化により、シート間又はシート内の空気が排出されうる。ラッピングテープの圧力（締め付け力）により、この空気の排出が促進されている。この硬化により、硬化積層体が得られる。
【００６１】
（６）マンドレルの引き抜き工程及びラッピングテープの除去工程
硬化工程の後、マンドレルの引き抜き工程とラッピングテープの除去工程とがなされる。両者の順序は限定されないが、ラッピングテープの除去工程の能率を向上させる観点から、マンドレルの引き抜き工程の後にラッピングテープの除去工程がなされるのが好ましい。
【００６２】
（７）両端カット工程
この工程では、硬化積層体の両端部がカットされる。このカットにより、先端Ｔｐの端面及び後端Ｂｔの端面が平坦とされる。
【００６３】
なお、理解を容易とするため、図２の展開図は、両端カットがなされた状態のシートを示している。実際には、各シートの寸法の設定においては、両端カットが考慮される。すなわち、実際には、各シートの両端部には、両端カットがなされる部分が付加される。
【００６４】
（８）研磨工程
この工程では、硬化積層体の表面が研磨される。硬化積層体の表面には、ラッピングテープの跡として残された螺旋状の凹凸が存在する。研磨により、このラッピングテープの跡としての凹凸が消滅し、表面が平滑とされる。
【００６５】
（９）塗装工程
研磨工程後の硬化積層体が、塗装される。
【００６６】
以上のような工程により、シャフト６が得られる。シャフト６では、比（Ｌｇ／Ｌｓ）が大きい。シャフト６は、軽量である。
【００６７】
シートワインディング製法は、設計自由度に優れる。この製法により、比（Ｌｇ／Ｌｓ）が容易に調整されうる。比（Ｌｇ／Ｌｓ）を調整するための項目として、次の（Ａ１）から（Ａ９）が例示される。
（Ａ１）バット部分層の巻回数
（Ａ２）バット部分シートの枚数
（Ａ３）バット部分層の厚み
（Ａ４）バット部分層の軸方向長さ
（Ａ５）チップ部分層の巻回数
（Ａ６）チップ部分シートの枚数
（Ａ７）チップ部分層の厚み
（Ａ８）チップ部分層の軸方向長さ
（Ａ９）シャフトのテーパー率
【００６８】
シャフトフレックスを調整するための項目として、次の（Ｂ１）から（Ｂ８）が例示される。シャフトフレックスの調整により、クラブ振動数が調整されうる。
（Ｂ１）ストレート層の繊維の弾性率
（Ｂ２）ストレート層の厚み
（Ｂ３）ストレート層の巻回数
（Ｂ４）研磨工程における研磨量
（Ｂ５）バット部分層の軸方向長さ
（Ｂ６）バット部分層の巻回数
（Ｂ７）チップ部分層の軸方向長さ
（Ｂ８）チップ部分層の巻回数
【００６９】
本実施形態では、振りやすさに関する指標として、慣性モーメントＩｘが用いられる。本願では、この慣性モーメントＩｘは、スイング軸回りの慣性モーメントと称される。
【００７０】
従来、振りやすさの指標として、スイングバランス（クラブバランス）が知られていた。しかしスイングバランスは静的モーメントであり、動的な指標ではない。一方、スイングは動的である。本実施形態では、振りやすさの指標として、スイング軸回りの慣性モーメントＩｘが用いられる。
【００７１】
図３は、慣性モーメントＩｘ等を説明するための図である。
【００７２】
［慣性モーメントＩｘ］  
慣性モーメントＩｘは、次の式（１）により算出される。Ｉｘは、スイング軸Ｚｘ回りの慣性モーメントである。
Ｉｘ＝Ｗｃ×（Ｌｃ＋６０）２＋Ｉｃ  ・・・（１）  
【００７３】
上記式（１）において、Ｗｃはクラブ重量（ｋｇ）であり、Ｌｃはグリップエンドからクラブ重心までの軸方向距離（ｃｍ）であり、Ｉｃはクラブ重心回りの慣性モーメント（ｋｇ・ｃｍ２）である。この慣性モーメントＩｘの単位は、（ｋｇ・ｃｍ２）である。
【００７４】
実際のスイングでは、ゴルフクラブはグリップエンドを中心として回転するのではない。ゴルフクラブは、ゴルファーの胴体を軸として、ゴルファーの腕と共に回転する。本願では、このスイング時のゴルファーの胴体の位置を考慮して、スイング軸Ｚｘが設定される。スイング軸とグリップエンドとは離れている。動的な振りやすさを評価するため、スイング軸Ｚｘとグリップエンドとの離間距離Ｄｘが設定された（図３参照）。この離間距離Ｄｘに関して、多くのゴルファーの体型及びスイングが分析された。ゴルファーの体型として、腕の長さ等が考慮された。その結果、この離間距離Ｄｘとして、約６０ｃｍが適切であることが判明した。このように、スイングの実態を考慮して、上記式（１）では、[Ｌｃ＋６０]が用いられる。
【００７５】
スイングは動的である。静的な指標と比較して、動的な指標は、振りやすさを精度よく反映しうる。更に、上述の通り、上記慣性モーメントＩｘには、スイングの実態が考慮されている。よって、この慣性モーメントＩｘには、振りやすさが、精度良く反映されている。振りやすさは、ヘッドスピードの向上に寄与する。振りやすさは、ミート率の向上に寄与する。振りやすさに起因して、飛距離が増大しうる。
【００７６】
図３で示される軸Ｚｃは、クラブ重心を通る。この軸Ｚｃは、スイング軸Ｚｘに平行である。慣性モーメントＩｃは、軸Ｚｃ回りのクラブ２の慣性モーメントである。スイング軸Ｚｘは、シャフト軸線Ｚ１に直交している。軸Ｚｃは、シャフト軸線Ｚ１に直交している。上記式（１）では、平行軸の定理により、モーメントＩｘが計算されている。
【００７７】
本願では、基準状態（図示されない）が定義される。この基準状態とは、規定のライ角及びリアルロフト角で、水平面上にクラブ２のソールが載置された状態である。この基準状態では、シャフト軸線Ｚ１が、上記水平面に対して垂直な平面ＶＰ１に含まれる。この平面ＶＰ１は、基準垂直面と定義される。規定のライ角及びリアルロフト角は、例えば、製品のカタログに掲載されている。図３から明らかなように、各慣性モーメントの測定では、フェース面がヘッド軌道に対して実質的にスクエアな状態とされる。このフェース面の向きは、理想的なインパクトの状態である。上記スイング軸Ｚｘは、上記基準垂直面に含まれている。すなわち、上記慣性モーメントＩｘの測定において、スイング軸Ｚｘは、上記基準垂直面に含まれている。上記慣性モーメントＩｃの測定において、軸Ｚｃは、上記基準垂直面に含まれている。上述した各慣性モーメントは、インパクト近傍におけるクラブの姿勢を反映している。上述した各慣性モーメントは、スイングを反映している。よって、これらの慣性モーメントは、振りやすさとの相関が高い。なお、上記慣性モーメントＩｃは、例えば、ＩＮＥＲＴＩＡ ＤＹＮＡＭＩＣＳ社製のＭＯＤＥＬ ＮＵＭＢＥＲ ＲＫ／００５−００２を用いて測定されうる。 
【００７８】
上記クラブ重心は、シャフト軸線Ｚ１上に位置するものとみなされる。ヘッド重心の位置に起因して、真のクラブ重心は、シャフト軸線Ｚ１から僅かにずれている。真のクラブ重心は、例えば、空間に位置しうる。本願では、この真のクラブ重心に最も近い軸線Ｚ１上の点が、上記クラブ重心とみなされる。換言すれば、本願にいうクラブ重心は、真のクラブ重心から軸線Ｚ１に下ろした垂線と軸線Ｚ１との交点である。このクラブ重心位置の近似は、上記慣性モーメントＩｘの値に微差を与えうる。しかし、この差は、本願記載の効果に影響しない程度に小さい。
【００７９】
振りやすさの観点から、ヘッドスピードが比較的速い上級者では、慣性モーメントＩｘが比較的大きいのが好ましい。
【００８０】
上級者における振りやすさの観点から、上記慣性モーメントＩｘは、６．９０×１０３（ｋｇ・ｃｍ２）以上が好ましく、７．１５×１０３（ｋｇ・ｃｍ２）以上がより好ましく、７．２０×１０３（ｋｇ・ｃｍ２）以上がより好ましい。過度な慣性モーメントＩｘは、ヘッドスピードを減少させうる。この観点から、上記慣性モーメントＩｘは、７．５０×１０３（ｋｇ・ｃｍ２）以下が好ましく、７．４５×１０３（ｋｇ・ｃｍ２）以下がより好ましく、７．４０×１０３（ｋｇ・ｃｍ２）以下がより好ましく、７．３５×１０３（ｋｇ・ｃｍ２）以下がより好ましい。
【００８１】
慣性モーメントＩｘが小さいことで、振りやすさが向上しうる。この振りやすさは、ヘッドスピードの向上に寄与する。慣性モーメントＩｘを小さくするための手段として、ヘッド重量Ｗｈを小さくすることが考えられる。しかし、単にヘッド重量Ｗｈを小さくすると、ヘッドの運動エネルギーが低下する。この場合、反発係数及びボール初速が低下する。
【００８２】
本実施形態では、Ｗｈ／Ｗｃが大きくされている。すなわち、クラブ重量Ｗｃに対するヘッド重量Ｗｈの比率が高められている。クラブ重量Ｗｃのうち、ヘッドに配分される重量Ｗｈを大きくすることで、ヘッドの運動エネルギーが増大しうる。よって、反発係数及びボール初速を高めることが可能となる。
【００８３】
本実施形態では、Ｗｈ／Ｗｃが大きくされつつ、上記慣性モーメントＩｘが、所定の範囲に限定されている。よって、ヘッド重量Ｗｈが大きいにも関わらず、振りやすさが達成されている。この結果、ヘッド重量Ｗｈが大きくされつつ、ヘッドスピードが向上しうる。ヘッド重量Ｗｈとヘッドスピードとの相乗効果により、ボール初速が増加し、ヘッドの運動エネルギーが高まる。このため、飛距離性能が向上しうる。
【００８４】
振りやすさの指標として、クラブバランスが一般的に用いられている。ヘッド重量Ｗｈが大きくされた場合、クラブバランスも大きくなる傾向にある。このため、クラブバランスを軽くすることは、ヘッド重量Ｗｈを軽くすることと同様に考えられてきた。振りやすさとヘッド重量Ｗｈの軽量化とが一体であるとの技術思想（技術思想Ａとする）が知られていた。従来、この技術思想Ａが、当業者において一般的であった。これに対して、本実施形態では、振りやすくしながらヘッドに重量が多く配分されている。この構成は、上記技術思想Ａに一致しないが、飛距離性能の向上に有効である。
【００８５】
本願では、クラブの静的モーメントがＭｔとされる。この静的モーメントＭｔは、次の式（２）により算出される。この静的モーメントＭｔの単位は、ｋｇ・ｃｍである。
Ｍｔ＝Ｗｃ×（Ｌｃ−３５．６）     ・・・（２）
【００８６】
この静的モーメントＭｔは、１４インチ方式のスイングバランスに対応している。このスイングバランスは、静的モーメントＭｔの値を記号化したものである。
【００８７】
上級者における振りやすさの観点から、上記静的モーメントＭｔは、１６．３ｋｇ・ｃｍ以上が好ましく、１６．４ｋｇ・ｃｍ以上がより好ましく、１６．７ｋｇ・ｃｍ以上がより好ましい。クラブ長さＬ１等が好ましい値に設定される場合、上記静的モーメントＭｔは、１８．０ｋｇ・ｃｍ以下が好ましく、１７．５ｋｇ・ｃｍ以下がより好ましく、１７．１ｋｇ・ｃｍ以下がより好ましく、１７．０ｋｇ・ｃｍ以下がより好ましい。
【００８８】
上記慣性モーメントＩｘは、上記静的モーメントＭｔに対して小さいのが好ましい。つまり、比（Ｉｘ／Ｍｔ）が小さいのが好ましい。換言すれば、上記慣性モーメントＩｘが小さく且つ上記静的モーメントＭｔが大きいのが好ましい。この構成により、クラブ重心をヘッド寄りとしながら、上記慣性モーメントＩｘを限定することができる。よって、Ｗｈ／Ｗｃを増大させつつ、上記慣性モーメントＩｘを限定することが可能となる。
【００８９】
Ｉｘ／Ｍｔが小さくされることは、上記静的モーメントＭｔが大きいわりに、上記慣性モーメントＩｘが小さいことを意味する。換言すれば、クラブバランスが重いわりに、上記慣性モーメントＩｘが小さいことを意味する。よって、Ｉｘ／Ｍｔが小さくされることにより、クラブバランスが重いわりに、振りやすさが向上しやすい。上述の通り、従来、振りやすさの指標はクラブバランスとされていた。従来、クラブバランスが重ければ振りにくいという技術思想（技術思想Ｂ）があった。この技術思想Ｂによれば、クラブバランスが重いにも関わらず振りやすいという概念は想定できなかった。
【００９０】
Ｉｘ／Ｍｔが小さい場合、静的モーメントＭｔが大きいにも関わらず、振りやすい。この振りやすさは、飛距離性能の向上に寄与しうる。この観点から、Ｉｘ／Ｍｔは、４４２以下が好ましく、４４１以下がより好ましく、４４０以下がより好ましく、４３７以下がより好ましい。ヘッド、シャフト及びグリップの強度を考慮すると、上記慣性モーメントＩｘを小さくするのには限界がある。この点を考慮すると、Ｉｘ／Ｍｔは、４１５以上が好ましく、４２０以上がより好ましく、４２５以上がより好ましく、４２８以上がより好ましい。
【００９１】
［Ｗｈ／Ｗｃ］
ヘッドの運動エネルギーを増大させるには、ヘッドへの重量配分率を高めるのが好ましい。この観点から、Ｗｈ／Ｗｃは、０．７０以上が好ましく、０．７１以上がより好ましく、０．７２以上がより好ましく、０．７３以上がより好ましい。シャフト及びグリップの強度等を考慮すると、シャフト重量及びグリップ重量は、所定値以上とされるのが好ましい。この観点から、Ｗｈ／Ｗｃは、０．８０以下が好ましく、０．７９以下がより好ましく、０．７８以下がより好ましい。
【００９２】
言うまでもないが、Ｗｈ／Ｗｃの算出では、ヘッド重量Ｗｈとクラブ重量Ｗｃとの間で、単位を一致させる。例えば、ヘッド重量Ｗｈの単位が「ｋｇ」である場合、クラブ重量Ｗｃの単位も「ｋｇ」とされる。ヘッド重量Ｗｈの単位が「ｇ」である場合、クラブ重量Ｗｃの単位も「ｇ」とされる。
【００９３】
Ｗｈ／Ｗｃが大きいと、シャフトの撓りが大きくなり、シャフトの挙動が不安定となりやすい。この不安定な挙動は、ミート率を低下させうる。
【００９４】
スイング中の過大な撓りにより、撓りが戻るタイミングが遅れることがある。このタイミングの遅れは、ヘッドスピードを低下させうる。撓りの戻りが遅いクラブは、振りにくい。
【００９５】
振りやすさの観点から、Ｗｈ／Ｗｃの増大に起因する過度な撓りは、抑制されるのが好ましい。ミート率の観点から、Ｗｈ／Ｗｃの増大に起因するシャフトの不安定な挙動は、抑制されるのが好ましい。
【００９６】
クラブ振動数が考慮されることで、Ｗｈ／Ｗｃが増大しても、振りやすさが確保されうる。クラブ振動数が考慮されることで、Ｗｈ／Ｗｃが増大しても、シャフトの挙動が安定しうる。これらの観点から、クラブ振動数は、２４０（ｃｐｍ）以上が好ましく、２４５（ｃｐｍ）以上がより好ましく、２５０（ｃｐｍ）以上がより好ましい。撓りが過小であると、ヘッドスピード及び振りやすさが低下しやすい。この観点から、クラブ振動数は、２８０（ｃｐｍ）以下が好ましく、２７５（ｃｐｍ）以下がより好ましい。クラブ振動数は、ヘッド重量Ｗｈ、シャフトフレックス等によって調整されうる。
【００９７】
［ヘッド重量Ｗｈ］
ヘッドの運動エネルギーを大きくすることで、打球時におけるボールの初速を高めることができる。この観点から、ヘッド重量Ｗｈは、１９０ｇ（０．１９０ｋｇ）以上が好ましく、１９５ｇ（０．１９５ｋｇ）以上がより好ましく、２００ｇ（０．２００ｋｇ）以上がより好ましく、２０５ｇ（０．２０５ｋｇ）以上がより好ましい。振りやすさの観点から、ヘッド重量Ｗｈは、２５０ｇ（０．２５０ｋｇ）以下が好ましく、２４５ｇ（０．２４５ｋｇ）以下がより好ましく、２４０ｇ（０．２４０ｋｇ）以下がより好ましい。
【００９８】
［シャフト重量Ｗｓ］
シャフトの強度及び耐久性の観点から、シャフト重量Ｗｓは、３５ｇ以上が好ましく、３８ｇ以上がより好ましく、４０ｇ以上がより好ましい。振りやすさの観点から、シャフト重量Ｗｓは、６５ｇ以下が好ましく、６１ｇ以下がより好ましく、６０ｇ以下がより好ましく、５５ｇ以下がより好ましい。
【００９９】
［グリップ重量Ｗｇ］
グリップの強度及び耐久性の観点から、グリップ重量Ｗｇは、２０ｇ以上が好ましく、２３ｇ以上がより好ましく、２５ｇ以上がより好ましい。振りやすさの観点から、グリップ重量は、４０ｇ以下が好ましく、３８ｇ以下がより好ましく、３５ｇ以下がより好ましい。グリップ重量Ｗｇは、グリップの体積、ゴムの比重、発砲ゴムの使用等によって調整されうる。
【０１００】
［シャフト長さＬｓ］
スイングの回転半径を大きくしてヘッドスピードを高める観点から、シャフト長さＬｓは、９９ｃｍ以上が好ましく、１０５ｃｍ以上がより好ましく、１０７ｃｍ以上がより好ましく、１１０ｃｍ以上がより好ましい。打点のバラツキを抑制する観点から、シャフト長さＬｓは、１２０ｃｍ以下が好ましく、１１８ｃｍ以下がより好ましく、１１６ｃｍ以下がより好ましい。
【０１０１】
［距離Ｌｇ］
重心Ｇがバット端Ｂｔに近づくことで、振りやすさ及びヘッドスピードが向上しうる。この観点から、距離Ｌｇ（図１参照）は、５４０ｍｍ以上が好ましく、５５０ｍｍ以上がより好ましく、５６０ｍｍ以上がより好ましく、５７０ｍｍ以上が好ましく、５８０ｍｍ以上がより好ましく、５９０ｍｍ以上がより好ましい。距離Ｌｇが過大である場合、シャフト先端部に配分されうる重量が少なくなるため、シャフト先端部の強度が低下しやすい。この観点から、距離Ｌｇは、７５１ｍｍ以下が好ましく、７５０ｍｍ以下がより好ましく、７４５ｍｍ以下がより好ましく、７４０ｍｍ以下がより好ましい。
【０１０２】
［Ｌｇ／Ｌｓ］
ヘッド重量Ｗｈを大きくしつつ、スイング軸回りの慣性モーメントＩｘを小さくする観点から、Ｌｇ／Ｌｓは、０．５５以上が好ましく、０．５６以上がより好ましく、０．５７以上がより好ましい。シャフト先端部の強度を高める観点から、Ｌｇ／Ｌｓは、０．６７以下が好ましく、０．６６以下がより好ましく、０．６５以下がより好ましい。
【０１０３】
［クラブ長さＬ１］
ヘッドスピードを高める観点から、クラブ長さＬ１は、４３インチ以上が好ましく、４４インチ以上がより好ましく、４５インチ以上がより好ましい。打点のバラツキを抑制する観点から、クラブ長さＬ１は、４８インチ以下が好ましく、４７．５インチ以下がより好ましく、４７インチ以下がより好ましい。
【０１０４】
本願におけるクラブ長さＬ１は、Ｒ＆Ａ（Ｒｏｙａｌ  ａｎｄ  Ａｎｃｉｅｎｔ  Ｇｏｌｆ  Ｃｌｕｂ  ｏｆ  Ｓａｉｎｔ  Ａｎｄｒｅｗｓ；全英ゴルフ協会）が定めるゴルフ規則「付属規則II  クラブのデザイン」の「１  クラブ」における「１ｃ  長さ」の記載に基づいて測定される。
【０１０５】
ウッド型クラブでは、飛距離性能が重視される傾向にある。ドライバーでは、この傾向が強い。この観点から好ましいクラブは、ドライバーである。飛距離性能の観点から、リアルロフトは、７°以上が好ましく、１３°以下が好ましい。ヘッドの慣性モーメントの観点から、ヘッドの体積は、３５０ｃｃ以上が好ましく、３８０ｃｃ以上がより好ましく、４００ｃｃ以上がより好ましく、４２０ｃｃ以上がより好ましい。ヘッド強度の観点から、ヘッドの体積は、４７０ｃｃ以下が好ましい。
【０１０６】
［クラブ重量Ｗｃ］
Ｗｈ／Ｗｃを高める観点から、クラブ重量Ｗｃは、３１５ｇ（０．３１５ｋｇ）以下が好ましく、３１０ｇ（０．３１０ｋｇ）以下がより好ましく、３００ｇ（０．３００ｋｇ）以下がより好ましく、２９３ｇ（０．２９３ｋｇ）以下がより好ましい。シャフト及びヘッドの強度の観点から、クラブ重量は、２５０ｇ（０．２５０ｋｇ）以上が好ましく、２６０ｇ（０．２６０ｋｇ）以上がより好ましく、２７０ｇ（０．２７０ｋｇ）以上がより好ましい。
【実施例】
【０１０７】
以下、実施例によって本発明の効果が明らかにされるが、この実施例の記載に基づいて本発明が限定的に解釈されるべきではない。
【０１０８】
下記の表１は、本発明のシャフトに使用可能なプリプレグの例を示す。
【０１０９】
【表１】
0005546700.tif 000002
【０１１０】
［実施例１］
上記シャフト６と同じ積層構成を有するシャフトが作製された。即ち、図２で示されるシート構成を有するシャフトが作製された。製造方法は、上記シャフト６と同じとされた。
【０１１１】
表１に示されたプリプレグを用いて、実施例１に係るシャフトが作成された。バイアス層には、「ＨＲＸ３５０Ｃ−１１０Ｓ」を用いた。ストレート層には、引張弾性率が２３．５〜３０（ｔ／ｍｍ２）のプリプレグを用いた。これらのプリプレグは、上記表１に示されている。クラブ振動数、シャフト重量、Ｌｇ／Ｌｓ等が所望の値となるように、プリプレグが選択された。上述された製法により、実施例１に係るシャフトを得た。       
【０１１２】
得られたシャフトに、市販のドライバーヘッド（ダンロップスポーツ社製のＳＲＩＸＯＮ  Ｚ７２５：ロフト９．５°）及びグリップを装着して、実施例１に係るゴルフクラブを得た。実施例１の仕様及び評価結果が、下記の表２に示されている。
【０１１３】
［実施例２から１１及び比較例１から１１］
下記の表２から表７に示されるスペックの他は実施例１と同様にして、各実施例及び各比較例に係るシャフト及びヘッドを得た。
【０１１４】
これらの実施例及び比較例において、ヘッド重量Ｗｈは、ヘッド外面の全体的な研磨、及び、重量調整用粘着剤の使用により、調整された。この粘着剤は、ヘッド内面に固着させて用いた。この粘着剤は熱可塑性であり、常温ではヘッド内面の所定位置に固着し、高温では流動する。この粘着剤は、高温とされてヘッド内部に流し込まれ、その後、室温に冷却して固定された。この粘着剤は、ヘッド重心の位置を変えないように配置された。
【０１１５】
これらの実施例及び比較例では、グリップの材質により、グリップ重量Ｗｇが調整された。重量Ｗｇが小さいグリップでは、発泡ゴムが用いられた。
【０１１６】
上述した項目（Ａ１）から（Ａ９）及び（Ｂ１）から（Ｂ８）により、シャフトフレックス及び比（Ｌｇ／Ｌｓ）が調整された。これらの調整を利用して、各実施例及び各比較例のスペックを得た。これらの実施例及び比較例の仕様が、下記の表２から７に示される。なお、これらの表では、データの比較を容易とするため、実施例２が複数の箇所に記載されている。
【０１１７】
【表２】
0005546700.tif 000003
【０１１８】
【表３】
0005546700.tif 000004
【０１１９】
【表４】
0005546700.tif 000005
【０１２０】
【表５】
0005546700.tif 000006
【０１２１】
【表６】
0005546700.tif 000007
【０１２２】
【表７】
0005546700.tif 000008
【０１２３】
［クラブ振動数］
クラブ振動数の測定には、藤倉ゴム工業株式会社製の商品名「ＧＯＬＦ ＣＬＵＢ ＴＩＭＩＮＧ ＨＡＲＭＯＮＩＺＥＲ」（商品名）を用いた。図４は、クラブ振動数の測定方法を説明するための図である。クランプＣＰ１によって、グリップエンドから７インチの地点からグリップエンドまでが固定された。すなわち、固定部分の長さＦ１は７インチ（約１７８ｍｍ）であった。ヘッド４に対して下方に向けて任意の負荷を加え、シャフト６を振動させた。１分間当たりの振動数が、クラブ振動数（ｃｐｍ）である。この測定値が、上記表２から７に示される。
【０１２４】
［慣性モーメント］
慣性モーメントＩｘは、上述の式（１）によって算出された。上記クラブ慣性モーメントＩｃは、ＩＮＥＲＴＩＡ ＤＹＮＡＭＩＣＳ社製のＭＯＤＥＬ ＮＵＭＢＥＲ ＲＫ／００５−００２を用いて測定した。
【０１２５】
［ヘッドスピード］
ハンディキャップが０以上１０以下である５名のテスターが評価を行った。これら５名のテスターの、通常のヘッドスピードは、４２〜４８（ｍ／ｓ）であった。これら５名のテスターは、ヘッドスピードが比較的速い。各テスターが、各クラブを、１０回ずつ打球した。従って、各クラブごとに、合計で、５０回の打撃がなされた。これらの打撃において、インパクトにおけるヘッドスピードが計測された。５０のデータの平均値が、上記表２から７に示される。
【０１２６】
［運動エネルギー］
得られたヘッドスピードの平均値を用いて、運動エネルギー（Ｊ）が算出された。この計算値が、上記表２から７に示される。ヘッド重量がＷｈとされ、上記ヘッドスピード（平均値）がＶｈとされるとき、運動エネルギーＫの算出式は以下の通りである。
Ｋ＝Ｗｈ×Ｖｈ２／２
【０１２７】
［飛距離］
データの信頼性を高める観点から、上述した１０回の打撃のうち、飛距離の少ない２回の打撃が、不採用とされた。この結果、合計で、４０の飛距離データを得た。なお、この飛距離は、落下地点までの距離（いわゆるキャリー）である。４０のデータの平均値が、上記表２から７に示される。
【０１２８】
［シャフト耐久性］
ミヤマエ社製のスイングロボットにクラブを装着し、ヘッドスピードを５２ｍ／ｓに設定した。打点は、フェースセンターからヒール側に２０ｍｍ隔てた位置とされた。ゴルフボールは、ダンロップスポーツ株式会社製の「ＤＤＨ ツアースペシャル」を用いた。ボールを繰り返し打撃させ、５００回の打撃ごとに、シャフトの状態を確認した。１００００回の打撃で破損が生じなかった場合に、評価が「Ａ」とされた。１００００回に達する前に破損が確認された場合に、評価が「Ｂ」とされた。これらの評価が、上記表２から７に示される。
【０１２９】
静的モーメントＭｔが小さい場合、ヘッド重量Ｗｈが小さくなり、飛距離が少ない（表２の比較例１参照）。
【０１３０】
慣性モーメントＩｘが過大である場合、ヘッドスピードが上がりにくく、飛距離が少ない（表２の比較例２参照）。
【０１３１】
ヘッド重量Ｗｈの割合（Ｗｈ／Ｗｃ）が過小である場合、運動エネルギーが低下し、飛距離が少ない（表３の比較例３参照）。
【０１３２】
シャフト重心Ｇがヘッドに近く、比（Ｌｇ／Ｌｓ）が小さい場合、ヘッド重量Ｗｈが大きくないにも関わらず、慣性モーメントＩｘが比較的大きい。よって、運動エネルギーが低く、飛距離が少ない（表４の実施例５参照）。
【０１３３】
シャフト重心Ｇが後端Ｂｔに近く、比（Ｌｇ／Ｌｓ）が大きい場合、シャフトの先端部の強度が低下しやすい（表４の比較例４参照）。
【０１３４】
クラブ重量Ｗｃのうちのシャフト重量Ｗｓが小さい場合、シャフトの強度が低下しやすい（表５の比較例５参照）。
【０１３５】
クラブ振動数が過小である場合、スイング中におけるシャフトの挙動が不安定となり、ミート率が低下しやすい。よって、飛距離が少ない（表６の比較例６参照）。ミート率とは、スイートエリアで打撃される確率を意味する。
【０１３６】
クラブ振動数が過大である場合、シャフトの撓りが小さく、ヘッドスピードが低下する。このため、飛距離が少ない（表６の比較例７参照）。
【０１３７】
クラブ長さＬ１が過小である場合、スイングの回転半径が小さく、ヘッドスピードが低下しやすい。このため、ヘッドスピードが低く、飛距離が少ない（表７の比較例８参照）。
【０１３８】
クラブ長さＬ１及びヘッド重量Ｗｈが小さい結果、静的モーメントＭｔが過小となりうる。この場合、ヘッドスピードが低く、運動エネルギーも小さい。よって、飛距離が少ない（表７の比較例９参照）。
【０１３９】
クラブ長さＬ１が大きい結果、慣性モーメントＩｘが過大となりうる。この場合、クラブ長さＬ１が大きい割にはヘッドスピードが上がらず、且つ、ミート率が低い。このため、飛距離が少ない（表７の比較例１０参照）。
【０１４０】
クラブ長さＬ１が過大である場合、ミート率が低下し、飛距離が少ない（表７の比較例１１参照）。
【０１４１】
これらの表が示すように、本発明の優位性は明らかである。
【産業上の利用可能性】
【０１４２】
以上説明された方法は、ゴルフクラブに適用されうる。
【符号の説明】
【０１４３】
２・・・ゴルフクラブ
４・・・ヘッド
６・・・シャフト
８・・・グリップ
Ｇ・・・シャフトの重心
Ｔｐ・・・シャフトの先端
Ｂｔ・・・シャフトの後端
【要約】
【課題】飛距離性能に優れたゴルフクラブの提供。
【解決手段】クラブ２は、ヘッド４、シャフト６及びグリップ８を備えている。クラブ長さＬ１は、４３インチ以上４８インチ以下である。ヘッド重量Ｗｈとクラブ重量Ｗｃとの比（Ｗｈ／Ｗｃ）が０．７０以上である。スイング軸回りの慣性モーメントＩｘが、６．９０×１０３（ｋｇ・ｃｍ２）以上７．５０×１０３（ｋｇ・ｃｍ２）以下である。クラブの静的モーメントＭｔ（ｋｇ・ｃｍ）が１６．３（ｋｇ・ｃｍ）以上である。クラブ振動数が、２４０（ｃｐｍ）以上２８０（ｃｐｍ）以下である。慣性モーメントＩｘ（ｋｇ・ｃｍ２）は下記の式（１）により算出される。
Ｉｘ＝Ｗｃ×（Ｌｃ＋６０）２＋Ｉｃ  ・・・（１）    
【選択図】図３【図１】
0005546700.tif 000009
【図２】
0005546700.tif 000010
【図３】
0005546700.tif 000011
【図４】
0005546700.tif 000012